(57)【要約】      （修正有）【課題】建物の状態を適切に通知し、ユーザの外出時における建物の管理を支援するゲートウェイ装置、監視システム、監視方法及び監視プログラムを提供する。【解決手段】建物１内に設置され、建物１外の外部ネットワーク１３を介して他の装置と通信可能なゲートウェイ装置１０であって、外部ネットワーク１３を介さずに、端末装置１２と通信接続を確立して無線通信を行う無線通信部と、通信接続の状態及び建物の状態を監視する監視部と、監視部によって、通信接続が切断されたと判断され、かつ、建物１の状態が所定条件を満たすと判断された場合、警告情報を外部ネットワーク１３経由で送信する通知部と、を備える。【選択図】図１
2016099805.tif 000002
【特許請求の範囲】
【請求項１】
建物内に設置され、前記建物外における外部ネットワークを介して他の装置と通信可能なゲートウェイ装置であって、
前記外部ネットワークを介さずに、端末装置と通信接続を確立して無線通信を行う無線通信部と、
前記通信接続の状態および前記建物の状態を監視する監視部と、
前記監視部によって、前記通信接続が切断されたと判断され、かつ前記建物の状態が所定条件を満たすと判断された場合、警告情報を前記外部ネットワーク経由で送信する通知部とを備える、ゲートウェイ装置。
【請求項２】
前記通知部は、前記警告情報を前記外部ネットワーク経由で前記端末装置へ送信する、請求項１に記載のゲートウェイ装置。
【請求項３】
前記通知部は、前記警告情報を送信した後、前記建物の状態が前記所定条件を満たしていないと前記監視部によって判断された場合、警告解除情報を前記外部ネットワーク経由で送信する、請求項１または請求項２に記載のゲートウェイ装置。
【請求項４】
前記ゲートウェイ装置は、さらに、
遠隔で対処命令を受けて前記建物の状態を前記所定条件を満たさない状態へ変更する制御を行う制御部を備え、
前記通知部は、前記警告情報を送信した後に、前記制御部によって前記建物の状態が前記所定条件を満たさない状態へ変更された場合、前記警告解除情報を前記外部ネットワーク経由で送信する、請求項３に記載のゲートウェイ装置。
【請求項５】
前記通知部は、前記警告情報を繰り返し送信し、送信回数が所定値に達した場合、前記警告情報の送信を停止する、請求項１から請求項４のいずれか１項に記載のゲートウェイ装置。
【請求項６】
前記監視部は、前記警告情報を送信した後、前記建物の状態を確認し、
前記通知部は、前記建物の状態が引き続き前記所定条件を満たしていると前記監視部によって判断された場合に、前記警告情報を新たに送信する、請求項１から請求項５のいずれか１項に記載のゲートウェイ装置。
【請求項７】
前記通知部は、前記警告情報を所定間隔で複数回送信する、請求項１から請求項６のいずれか１項に記載のゲートウェイ装置。
【請求項８】
端末装置と、
建物内に設置され、前記建物外における外部ネットワークを介して他の装置と通信可能なゲートウェイ装置とを備え、
前記ゲートウェイ装置は、前記外部ネットワークを介さずに、前記端末装置と通信接続を確立して無線通信を行い、
前記ゲートウェイ装置は、前記通信接続の状態および前記建物の状態を監視し、
前記ゲートウェイ装置は、前記通信接続が切断されたと判断し、かつ前記建物の状態が所定条件を満たすと判断した場合、警告情報を前記外部ネットワーク経由で前記端末装置へ送信する、監視システム。
【請求項９】
建物内に設置され、前記建物外における外部ネットワークを介して他の装置と通信可能なゲートウェイ装置における監視方法であって、
前記外部ネットワークを介さずに、端末装置と通信接続を確立して無線通信を行うステップと、
前記通信接続の状態および前記建物の状態を監視するステップと、
前記通信接続が切断されたと判断し、かつ前記建物の状態が所定条件を満たすと判断した場合、警告情報を前記外部ネットワーク経由で送信するステップとを含む、監視方法。
【請求項１０】
建物内に設置され、前記建物外における外部ネットワークを介して他の装置と通信可能なゲートウェイ装置において用いられる監視プログラムであって、
コンピュータに、
前記外部ネットワークを介さずに、端末装置と通信接続を確立して無線通信を行うステップと、
前記通信接続の状態および前記建物の状態を監視するステップと、
前記通信接続が切断されたと判断し、かつ前記建物の状態が所定条件を満たすと判断した場合、警告情報を前記外部ネットワーク経由で送信するステップとを実行させるための、監視プログラム。
【発明の詳細な説明】
【技術分野】
【０００１】
本発明は、ゲートウェイ装置、監視システム、監視方法および監視プログラムに関し、特に、建物の状態を通知するゲートウェイ装置、監視システム、監視方法および監視プログラムに関する。
【背景技術】
【０００２】
対象の住宅等が施錠されているか否かを携帯電話等の端末装置に通知するセキュリティシステムが開発されている。このようなセキュリティシステムの一例として、たとえば、特開２００８−３０５３４４号公報（特許文献１）には、以下のような技術が開示されている。すなわち、セキュリティシステムは、施錠検知装置と、携帯端末と、がネットワークにより接続されたセキュリティシステムであって、前記施錠検知装置は、錠が設けられているドア若しくは窓が閉じたか否か感知する開閉感知手段と、ドア若しくは窓の錠が施錠されたか否か感知する施錠感知手段と、前記ドア若しくは窓が閉じられてからの時刻をカウントする時刻カウント手段と、前記時刻カウント手段により一定の時間をカウント後、前記施錠感知手段により施錠が有ったことを感知出来ない場合は、前記携帯端末に無施錠通知を行う通知手段とを備える。
【０００３】
また、たとえば、特開２００６−３４８５３０号公報（特許文献２）には、以下のような技術が開示されている。すなわち、セキュリティシステムは、携帯端末、セキュリティ管理装置、住宅内の窓に設置された鍵制御装置および住宅内の窓に設置されたロック装置を備える。ユーザは、外出時に携帯端末からセキュリティ管理装置へ施錠状況の問い合わせを要求する。セキュリティ管理装置は、全ての鍵制御装置へ施錠状況を通知するように要求を行う。鍵制御装置は、窓の既存の鍵が施錠状態であるか、又は解錠状態であるかを検知し、検知結果をセキュリティ管理装置へ通知する。セキュリティ管理装置は、全てのロック装置へ施錠状況を通知するように要求を行う。ロック装置は、自己が施錠状態であるか、又は解錠状態であるかをセキュリティ管理装置へ通知する。セキュリティ管理装置は、施錠状況を携帯端末に通知する。
【先行技術文献】
【特許文献】
【０００４】
【特許文献１】特開２００８−３０５３４４号公報
【特許文献２】特開２００６−３４８５３０号公報
【発明の概要】
【発明が解決しようとする課題】
【０００５】
特許文献１に記載のセキュリティシステムは、たとえば、対象とする住宅のドアが閉まったにも関わらず、所定時間、当該ドアの施錠がなされない場合に、ユーザの端末装置に無施錠である旨が通知される構成である。このため、たとえば、ドアの施錠がなされていない状態でユーザが在宅しており、無施錠である旨の通知をユーザが必要としない場合であっても、頻繁に無施錠である旨が通知される可能性がある。
【０００６】
また、特許文献２に記載のセキュリティシステムは、たとえばユーザが窓の施錠を忘れて外出した場合であっても、ユーザの携帯端末から問い合わせがなければ施錠状況を通知しないため、高いセキュリティを確保することが困難である。
【０００７】
この発明は、上述の課題を解決するためになされたもので、その目的は、建物の状態を適切に通知し、ユーザの外出時における建物の管理を支援することが可能なゲートウェイ装置、監視システム、監視方法および監視プログラムを提供することである。
【課題を解決するための手段】
【０００８】
（１）上記課題を解決するために、この発明のある局面に係るゲートウェイ装置は、建物内に設置され、前記建物外における外部ネットワークを介して他の装置と通信可能なゲートウェイ装置であって、前記外部ネットワークを介さずに、端末装置と通信接続を確立して無線通信を行う無線通信部と、前記通信接続の状態および前記建物の状態を監視する監視部と、前記監視部によって、前記通信接続が切断されたと判断され、かつ前記建物の状態が所定条件を満たすと判断された場合、警告情報を前記外部ネットワーク経由で送信する通知部とを備える。
【０００９】
（８）上記課題を解決するために、この発明のある局面に係る監視システムは、端末装置と、建物内に設置され、前記建物外における外部ネットワークを介して他の装置と通信可能なゲートウェイ装置とを備え、前記ゲートウェイ装置は、前記外部ネットワークを介さずに、前記端末装置と通信接続を確立して無線通信を行い、前記ゲートウェイ装置は、前記通信接続の状態および前記建物の状態を監視し、前記ゲートウェイ装置は、前記通信接続が切断されたと判断し、かつ前記建物の状態が所定条件を満たすと判断した場合、警告情報を前記外部ネットワーク経由で前記端末装置へ送信する。
【００１０】
（９）上記課題を解決するために、この発明のある局面に係る監視方法は、建物内に設置され、前記建物外における外部ネットワークを介して他の装置と通信可能なゲートウェイ装置における監視方法であって、前記外部ネットワークを介さずに、端末装置と通信接続を確立して無線通信を行うステップと、前記通信接続の状態および前記建物の状態を監視するステップと、前記通信接続が切断されたと判断し、かつ前記建物の状態が所定条件を満たすと判断した場合、警告情報を前記外部ネットワーク経由で送信するステップとを含む。
【００１１】
（１０）上記課題を解決するために、この発明のある局面に係る監視プログラムは、建物内に設置され、前記建物外における外部ネットワークを介して他の装置と通信可能なゲートウェイ装置において用いられる監視プログラムであって、コンピュータに、前記外部ネットワークを介さずに、端末装置と通信接続を確立して無線通信を行うステップと、前記通信接続の状態および前記建物の状態を監視するステップと、前記通信接続が切断されたと判断し、かつ前記建物の状態が所定条件を満たすと判断した場合、警告情報を前記外部ネットワーク経由で送信するステップとを実行させるためのプログラムである。
【００１２】
本発明は、このような特徴的な処理部を備えるゲートウェイ装置として実現することができるだけでなく、ゲートウェイ装置の一部または全部を実現する半導体集積回路として実現することができる。
【発明の効果】
【００１３】
この発明によれば、建物の状態を適切に通知し、ユーザの外出時における建物の管理を支援することができる。
【図面の簡単な説明】
【００１４】
【図１】図１は、本発明の第１の実施の形態に係る監視システムの構成を示す図である。
【図２】図２は、本発明の第１の実施の形態に係るゲートウェイ装置の構成を示す図である。
【図３】図３は、本発明の第１の実施の形態に係る施錠管理装置の構成を示す図である。
【図４】図４は、本発明の第１の実施の形態に係る監視システムによるセキュリティ処理のシーケンスの一例を示す図である。
【図５】図５は、本発明の第１の実施の形態に係るゲートウェイ装置によるセキュリティ処理の手順の一例を定めたフローチャートである。
【図６】図６は、本発明の第２の実施の形態に係る監視システムの構成を示す図である。
【図７】図７は、本発明の第２の実施の形態に係るゲートウェイ装置の構成を示す図である。
【発明を実施するための形態】
【００１５】
最初に、本発明の実施の形態の内容を列記して説明する。
【００１６】
（１）本発明の実施の形態に係るゲートウェイ装置は、建物内に設置され、前記建物外における外部ネットワークを介して他の装置と通信可能なゲートウェイ装置であって、前記外部ネットワークを介さずに、端末装置と通信接続を確立して無線通信を行う無線通信部と、前記通信接続の状態および前記建物の状態を監視する監視部と、前記監視部によって、前記通信接続が切断されたと判断され、かつ前記建物の状態が所定条件を満たすと判断された場合、警告情報を前記外部ネットワーク経由で送信する通知部とを備える。
【００１７】
このように、端末装置とゲートウェイ装置との通信接続の状態を、建物の状態と合わせて監視する構成により、たとえば、当該通信接続が切断された場合であって、かつ、建物の施錠がなされていない場合、当該端末装置を携帯するユーザが建物の施錠を行うことなく外出したと判断することができる。そして、このような場合に警告情報を送信することにより、建物の状態が何らかの改善を行うべき状態であることを知らせることができる。また、警告情報は、端末装置とゲートウェイ装置との通信接続が切断された状態において送信されるため、ユーザが建物内にいる場合に送信されることが少なく、また、ユーザからの問い合わせが無くとも、所定条件を満たす場合に自動的に送信される。したがって、建物の状態を適切に通知し、ユーザの外出時における建物の管理を支援することができる。
【００１８】
（２）好ましくは、前記通知部は、前記警告情報を前記外部ネットワーク経由で前記端末装置へ送信する。
【００１９】
このような構成により、たとえば、端末装置を携帯するユーザが建物の施錠を行うことなく外出した場合に、ユーザの端末装置へ警告情報を直接送信することができる。これにより、たとえば、ユーザが建物から大きく離れる前に、建物が無施錠である旨をユーザに知らせることができるため、ユーザは建物へ戻って建物の施錠を行うことができる。
【００２０】
（３）好ましくは、前記通知部は、前記警告情報を送信した後、前記建物の状態が前記所定条件を満たしていないと前記監視部によって判断された場合、警告解除情報を前記外部ネットワーク経由で送信する。
【００２１】
このような構成により、たとえば、無施錠であった建物が施錠された場合に、建物が施錠されたことを知らせることができる。
【００２２】
（４）より好ましくは、前記ゲートウェイ装置は、さらに、遠隔で対処命令を受けて前記建物の状態を前記所定条件を満たさない状態へ変更する制御を行う制御部を備え、前記通知部は、前記警告情報を送信した後に、前記制御部によって前記建物の状態が前記所定条件を満たさない状態へ変更された場合、前記警告解除情報を前記外部ネットワーク経由で送信する。
【００２３】
このような構成により、たとえば、建物の施錠を行うことなく外出したことで、警告情報を受信した場合に、遠隔で建物を施錠することができ、また、施錠が実施されたことを遠隔で確認することができる。
【００２４】
（５）好ましくは、前記通知部は、前記警告情報を繰り返し送信し、送信回数が所定値に達した場合、前記警告情報の送信を停止する。
【００２５】
このように、無施錠である旨等を繰り返し通知する構成により、たとえば、建物が無施錠であることを、たとえばユーザに、より確実に気付かせることができ、また、無施錠である旨の通知回数を制限する構成により、同じ内容の通知が繰り返し行われる煩わしさを抑えることができる。
【００２６】
（６）好ましくは、前記監視部は、前記警告情報を送信した後、前記建物の状態を確認し、前記通知部は、前記建物の状態が引き続き前記所定条件を満たしていると前記監視部によって判断された場合に、前記警告情報を新たに送信する。
【００２７】
このような構成により、たとえば、警告情報を繰り返し送信する一方で、建物の施錠がなされた後は警告情報を送信しないようにすることができるため、建物の状態をより適切に通知することができる。
【００２８】
（７）好ましくは、前記通知部は、前記警告情報を所定間隔で複数回送信する。
【００２９】
このような構成により、警告情報をある程度の間隔を空けて送信することがきるため、短時間に複数回送信する場合に比べて、たとえば、建物が無施錠であることを、より確実にユーザに気付かせることができ、また、単位時間当たりの送信回数を少なくすることができる。
【００３０】
（８）本発明の実施の形態に係る監視システムは、端末装置と、建物内に設置され、前記建物外における外部ネットワークを介して他の装置と通信可能なゲートウェイ装置とを備え、前記ゲートウェイ装置は、前記外部ネットワークを介さずに、前記端末装置と通信接続を確立して無線通信を行い、前記ゲートウェイ装置は、前記通信接続の状態および前記建物の状態を監視し、前記ゲートウェイ装置は、前記通信接続が切断されたと判断し、かつ前記建物の状態が所定条件を満たすと判断した場合、警告情報を前記外部ネットワーク経由で前記端末装置へ送信する。
【００３１】
このように、端末装置とゲートウェイ装置との通信接続の状態を、建物の状態と合わせて監視する構成により、たとえば、当該通信接続が切断された場合であって、かつ、建物の施錠がなされていない場合、当該端末装置を携帯するユーザが建物の施錠を行うことなく外出したと判断することができる。そして、このような場合に警告情報を送信することにより、建物の状態が何らかの改善を行うべき状態であることを知らせることができる。また、警告情報は、端末装置とゲートウェイ装置との通信接続が切断された状態において送信されるため、ユーザが建物内にいる場合に送信されることが少なく、また、ユーザからの問い合わせが無くとも、所定条件を満たす場合に自動的に送信される。したがって、建物の状態を適切に通知し、ユーザの外出時における建物の管理を支援することができる。
【００３２】
（９）本発明の実施の形態に係る監視方法は、建物内に設置され、前記建物外における外部ネットワークを介して他の装置と通信可能なゲートウェイ装置における監視方法であって、前記外部ネットワークを介さずに、端末装置と通信接続を確立して無線通信を行うステップと、前記通信接続の状態および前記建物の状態を監視するステップと、前記通信接続が切断されたと判断し、かつ前記建物の状態が所定条件を満たすと判断した場合、警告情報を前記外部ネットワーク経由で送信するステップとを含む。
【００３３】
このように、端末装置とゲートウェイ装置との通信接続の状態を、建物の状態と合わせて監視する構成により、たとえば、当該通信接続が切断された場合であって、かつ、建物の施錠がなされていない場合、当該端末装置を携帯するユーザが建物の施錠を行うことなく外出したと判断することができる。そして、このような場合に警告情報を送信することにより、建物の状態が何らかの改善を行うべき状態であることを知らせることができる。また、警告情報は、端末装置とゲートウェイ装置との通信接続が切断された状態において送信されるため、ユーザが建物内にいる場合に送信されることが少なく、また、ユーザからの問い合わせが無くとも、所定条件を満たす場合に自動的に送信される。したがって、建物の状態を適切に通知し、ユーザの外出時における建物の管理を支援することができる。
【００３４】
（１０）本発明の実施の形態に係る監視プログラムは、建物内に設置され、前記建物外における外部ネットワークを介して他の装置と通信可能なゲートウェイ装置において用いられる監視プログラムであって、コンピュータに、前記外部ネットワークを介さずに、端末装置と通信接続を確立して無線通信を行うステップと、前記通信接続の状態および前記建物の状態を監視するステップと、前記通信接続が切断されたと判断し、かつ前記建物の状態が所定条件を満たすと判断した場合、警告情報を前記外部ネットワーク経由で送信するステップとを実行させるためのプログラムである。
【００３５】
このように、端末装置とゲートウェイ装置との通信接続の状態を、建物の状態と合わせて監視する構成により、たとえば、当該通信接続が切断された場合であって、かつ、建物の施錠がなされていない場合、当該端末装置を携帯するユーザが建物の施錠を行うことなく外出したと判断することができる。そして、このような場合に警告情報を送信することにより、建物の状態が何らかの改善を行うべき状態であることを知らせることができる。また、警告情報は、端末装置とゲートウェイ装置との通信接続が切断された状態において送信されるため、ユーザが建物内にいる場合に送信されることが少なく、また、ユーザからの問い合わせが無くとも、所定条件を満たす場合に自動的に送信される。したがって、建物の状態を適切に通知し、ユーザの外出時における建物の管理を支援することができる。
【００３６】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００３７】
＜第１の実施の形態＞
［構成および基本動作］
図１は、本発明の第１の実施の形態に係る監視システムの構成を示す図である。
【００３８】
図１を参照して、監視システム１０１は、ゲートウェイ装置１０と、施錠管理装置１１と、端末装置１２とを備える。
【００３９】
監視システム１０１は、たとえば、住宅である建物１のセキュリティを高めるために設けられる。ゲートウェイ装置１０および施錠管理装置１１は、たとえば、建物１に設置される。
【００４０】
端末装置１２は、スマートフォンまたはタブレット等の携帯端末であり、たとえば建物１の居住者であるユーザ３により携帯される。端末装置１２は、たとえば、建物１内において、ゲートウェイ装置１０および建物１の外部におけるネットワークである外部ネットワーク１３を介して、図示しない他の装置と通信を行うことができる。
【００４１】
具体的には、ゲートウェイ装置１０は、たとえばブロードバンドルーターの機能を有し、有線で外部ネットワーク１３に接続され、外部ネットワーク１３を介して他の装置と通信を行う。
【００４２】
また、ゲートウェイ装置１０は、Ｗｉ−Ｆｉ等の無線ＬＡＮ、またはＢｌｕｅｔｏｏｔｈ（登録商標）等により端末装置１２と無線通信を行う。ゲートウェイ装置１０は、端末装置１２以外の他の端末装置とも無線通信を行うことができる。
【００４３】
外部ネットワーク１３は、たとえば、インターネット、および３Ｇ（３ｒｄ  Ｇｅｎｅｒａｔｉｏｎ）ならびにＬＴＥ（Ｌｏｎｇ  Ｔｅｒｍ  Ｅｖｏｌｕｔｉｏｎ）等の携帯電話網を含む。
【００４４】
以下、ゲートウェイ装置１０が無線ＬＡＮおよびＢｌｕｅｔｏｏｔｈ等の無線通信により端末装置１２と通信可能なエリアをゲートウェイ装置１０のローカル通信エリアとも称する。ゲートウェイ装置１０のローカル通信エリアは、たとえば建物１の全体を含む。
【００４５】
ゲートウェイ装置１０は、端末装置１２と通信接続を確立した後、当該通信接続が切断された場合、端末装置１２が建物１の外部に持ち出された、つまり端末装置１２を携帯するユーザ３が建物１から外出したと判断する。
【００４６】
ゲートウェイ装置１０は、たとえば、外部ネットワーク１３および携帯電話の基地局である基地局１４を介して、端末装置１２へメール等のメッセージを送信することができる。
【００４７】
施錠管理装置１１は、たとえば建物１のドア２に設置され、ＺｉｇＢｅｅ（登録商標）またはＢｌｕｅｔｏｏｔｈ等により、ゲートウェイ装置１０と無線通信を行う。
【００４８】
具体的には、たとえば、施錠管理装置１１は、ドア２の施錠の状態すなわちドア２が施錠されているか否かを確認し、確認結果をゲートウェイ装置１０に報告する。また、施錠管理装置１１は、ドア２が施錠されていない状態において、ゲートウェイ装置１０から施錠指示を受信すると、ドア２を施錠する。
【００４９】
ゲートウェイ装置１０は、端末装置１２との通信接続が切断された場合、ユーザ３が建物１から外出したと判断して、施錠管理装置１１と通信を行い、施錠管理装置１１にドア２の施錠の状態を確認させる。ゲートウェイ装置１０は、ドア２の施錠の状態の確認結果に基づいて建物１の施錠の状態を判断する。
【００５０】
そして、ゲートウェイ装置１０は、建物１が施錠されていないと判断した場合、建物１が改善すべき状態にあることを示す警告情報を外部ネットワーク１３および基地局１４経由で端末装置１２へ送信する。ここでは、警告情報は、建物１の施錠がなされていない旨を示す。
【００５１】
端末装置１２は、ゲートウェイ装置１０から警告情報を受信すると、たとえば、着信音を鳴らすとともに、警告情報の内容を画面に表示する。
【００５２】
これにより、ユーザ３は、建物１の施錠がなされていないことを警告情報によって認識し、たとえば、建物１へ戻り、手動で建物１の施錠を行うことができる。
【００５３】
また、ユーザ３は、端末装置１２を用いて遠隔で建物１の施錠を行うこともできる。具体的には、ユーザ３は、端末装置１２を操作することにより、端末装置１２から、基地局１４および外部ネットワーク１３経由でゲートウェイ装置１０へ対処命令を送信する。
【００５４】
ゲートウェイ装置１０は、端末装置１２からの対処命令を受信すると、施錠指示を施錠管理装置１１へ送信することにより、施錠管理装置１１にドア２を施錠させる。
【００５５】
施錠管理装置１１は、ゲートウェイ装置１０から施錠指示を受信してドア２を施錠した場合、または手動でドア２が施錠された場合、ドア２が施錠されたことを示す施錠実施情報をゲートウェイ装置１０へ送信する。
【００５６】
ゲートウェイ装置１０は、施錠管理装置１１から施錠実施情報を受信すると、建物１の状態が改善されたことを示す警告解除情報を外部ネットワーク１３および基地局１４経由で端末装置１２へ送信する。ここでは、警告解除情報は、建物１の施錠がなされた旨を示す。
【００５７】
たとえば、ゲートウェイ装置１０は、上述の、ドア２の施錠状態の確認、端末装置１２への警告情報の送信、施錠管理装置１１への施錠指示の送信、および端末装置１２への警告解除情報の送信等を、セキュリティ用のアプリケーションを用いて行う。ゲートウェイ装置１０は、たとえば、端末装置１２との通信接続が切断されたことをトリガーとして当該アプリケーションを起動させる。
【００５８】
なお、ゲートウェイ装置１０のローカル通信エリアは、建物１の全体を含む構成に限らず、建物１の一部を含む構成であってもよい。また、建物１は、住宅に限らず、工場または事務所等であってもよい。
【００５９】
図２は、本発明の第１の実施の形態に係るゲートウェイ装置の構成を示す図である。
【００６０】
図２を参照して、ゲートウェイ装置１０は、操作部１９と、記憶部２０と、無線通信部２１と、監視部２２と、通知部２３と、制御部２４と、ＭＡＣ確認部２５とを備える。
【００６１】
操作部１９は、監視システム１０１の対象となる端末装置すなわち端末装置１２のＭＡＣアドレスをユーザ３の操作により予め取得して記憶部２０に保存する。
【００６２】
無線通信部２１は、ゲートウェイ装置１０のローカル通信エリア内に端末装置１２が位置する場合、外部ネットワーク１３を介さずに、端末装置１２と通信接続を確立して無線通信を行う。
【００６３】
監視部２２は、無線通信部２１と端末装置１２との通信接続の状態、および建物１の状態を監視する。具体的には、監視部２２は、無線通信部２１と端末装置１２との通信接続の状態、および建物１の施錠の状態を監視する。
【００６４】
たとえば、監視部２２は、無線通信部２１が端末装置との通信接続を確立するたびに、通信接続の確立された端末装置のＭＡＣアドレスを確認する。そして、監視部２２は、通信接続の確立された端末装置のＭＡＣアドレスを記憶部２０に保存されたＭＡＣアドレスと照合することにより、無線通信部２１と端末装置１２との通信接続が確立したか否かを判断する。
【００６５】
また、監視部２２は、無線通信部２１と端末装置１２との通信接続が切断されたか否かを判断する。監視部２２は、たとえば、無線通信部２１と端末装置との通信接続が切断されるたびに、通信接続が切断された端末装置のＭＡＣアドレスを確認する。そして、監視部２２は、通信接続が切断された端末装置のＭＡＣアドレスを記憶部２０に保存されたＭＡＣアドレスと照合することにより、通信接続が切断された端末装置が端末装置１２であるか否かを判断する。
【００６６】
監視部２２は、無線通信部２１と端末装置１２との通信接続が切断されたと判断した場合、建物１の状態が所定条件を満たすか否か、具体的には、建物１が施錠されているか否かを判断する。たとえば、監視部２２は、建物１が施錠されていない場合に、建物１の状態が所定条件を満たすと判断する。
【００６７】
監視部２２は、ドア２が施錠されているか否かを施錠管理装置１１に確認させるための施錠確認要求を施錠管理装置１１へ送信する。
【００６８】
施錠管理装置１１は、監視部２２から施錠確認要求を受信すると、たとえば、ドア２が施錠されているか否かを自己のセンサを用いて確認し、確認結果を示す施錠状態情報をゲートウェイ装置１０における監視部２２へ送信する。
【００６９】
監視部２２は、施錠管理装置１１から施錠状態情報を受信して、受信した施錠状態情報に基づいて、建物１の施錠がなされているか否かを判断する。
【００７０】
たとえば、監視部２２は、ドア２が施錠されていない旨の施錠状態情報を施錠管理装置１１から受信した場合、建物１の施錠がなされていない、つまり建物１の状態が所定条件を満たすと判断し、警告情報の送信を指示するための警告送信指示を通知部２３へ出力する。
【００７１】
通知部２３は、監視部２２によって、通知部２３と端末装置１２との通信接続が切断されたと判断され、かつ、建物１の状態が所定条件を満たすと判断された場合、外部ネットワーク１３および基地局１４を介して端末装置１２に警告情報を送信する。
【００７２】
具体的には、たとえば、通知部２３は、監視部２２から警告送信指示を受けると、警告情報を外部ネットワーク１３および基地局１４経由で端末装置１２へ送信する。
【００７３】
通知部２３は、端末装置１２へ警告情報を繰り返し送信する。たとえば、通知部２３は、所定の間隔で複数回、端末装置１２へ警告情報を送信する。
【００７４】
たとえば、操作部１９は、警告情報の送信回数の設定値である設定回数Ｐ、および警告情報の送信間隔の設定値である設定間隔Ｑをユーザ３の操作により予め取得し、記憶部２０に保存する。
【００７５】
設定回数Ｐは、警告情報を送信すべき回数を示す。設定回数Ｐは、たとえば、５に設定される。設定間隔Ｑは、たとえば、警告情報を送信してから次の警告情報を送信するまでの時間を示す。設定間隔Ｑは、たとえば、１５分に設定される。
【００７６】
通知部２３は、たとえば、設定間隔Ｑの示す時間ごとに警告情報を送信し、警告情報の送信回数が設定回数Ｐに達した場合、警告情報の送信を停止する。
【００７７】
監視部２２は、たとえば、通知部２３が警告情報を送信した後、次の警告情報を送信する前に、建物１の状態、具体的には、建物１の施錠の状態を確認する。
【００７８】
たとえば、施錠管理装置１１は、上述のように、ドア２が施錠された場合、ドア２が施錠されたことを示す施錠実施情報をゲートウェイ装置１０における監視部２２へ送信する。
【００７９】
監視部２２は、通知部２３が警告情報を送信した後、施錠実施情報を受信した場合、建物１の施錠がなされたと判断する。一方、監視部２２は、施錠実施情報を受信していない場合、建物１の施錠が引き続きなされていないと判断する。
【００８０】
通知部２３は、建物１の状態が引き続き所定条件を満たしていると監視部２２によって判断された場合、つまり建物１の施錠が引き続きなされていないと監視部２２によって判断された場合、端末装置１２へ新たに警告情報を送信する。
【００８１】
一方、通知部２３は、建物１の施錠がなされたと監視部２２によって判断された場合、端末装置１２への新たな警告情報の送信を行わない。
【００８２】
制御部２４は、たとえば、遠隔で対処命令を受けて、所定条件を満たさない状態へ建物１を遷移させる制御を行う。具体的には、たとえば、制御部２４は、遠隔で対処命令を受けて建物１を施錠する制御を行う。
【００８３】
より具体的には、たとえば、制御部２４は、対処命令を端末装置１２から基地局１４および外部ネットワーク１３経由で受信すると、ドア２の施錠を施錠管理装置１１に実施させるための施錠指示を施錠管理装置１１へ送信する。
【００８４】
通知部２３は、たとえば、端末装置１２へ警告情報を送信した後、建物１の状態が所定条件を満たしていないと監視部２２によって判断された場合、つまり建物１の施錠がなされたと監視部２２によって判断された場合、建物１の施錠がなされた旨を示す警告解除情報を外部ネットワーク１３および基地局１４経由で端末装置１２へ送信する。
【００８５】
たとえば、通知部２３は、端末装置１２へ警告情報を送信した後に、制御部２４によって所定条件を満たさない状態へ建物１が遷移した場合、つまり制御部２４によって建物１の施錠がなされた場合、警告解除情報を外部ネットワーク１３および基地局１４経由で端末装置１２へ送信する。
【００８６】
具体的には、たとえば、施錠管理装置１１は、制御部２４から施錠指示を受けると、ドア２を施錠し、ドア２が施錠されたことを示す施錠実施情報をゲートウェイ装置１０における監視部２２へ送信する。
【００８７】
監視部２２は、施錠実施情報を施錠管理装置１１から受信すると、建物１の施錠がなされたと判断する。通知部２３は、監視部２２によって建物１の施錠がなされたと判断された場合、端末装置１２へ警告解除情報を送信する。
【００８８】
図３は、本発明の第１の実施の形態に係る施錠管理装置の構成を示す図である。
【００８９】
図３を参照して、施錠管理装置１１は、施錠センサ部３１と、施錠実施部３２と、施錠判断部３３とを備える。
【００９０】
施錠センサ部３１は、たとえばセンサを含み、当該センサの出力信号であって、ドア２が施錠されているか否かを判断可能なセンサ信号を施錠判断部３３へ出力する。
【００９１】
施錠判断部３３は、ゲートウェイ装置１０から施錠確認要求を受信すると、施錠センサ部３１からのセンサ信号に基づいて、ドア２が施錠されているか否かを判断し、判断結果を示す施錠状態情報をゲートウェイ装置１０へ送信する。
【００９２】
施錠実施部３２は、たとえばモータを含み、ゲートウェイ装置１０から施錠指示を受信した場合に、当該モータを用いてドア２を施錠する。なお、施錠実施部３２は、ドア２が備える鍵用の機構を用いてドア２を施錠してもよいし、施錠管理装置１１が有する機構を用いてドア２を施錠してもよい。
【００９３】
施錠判断部３３は、ドア２が施錠されていない状態から施錠されている状態へ遷移した場合、ドア２が施錠されたことを示す施錠実施情報をゲートウェイ装置１０へ送信する。たとえば、施錠判断部３３は、ドア２が手動で施錠された場合およびドア２が施錠実施部３２によって施錠された場合の両方において施錠実施情報を送信する。
【００９４】
［動作］
次に、本発明の第１の実施の形態に係る監視システムのセキュリティ処理について説明する。
【００９５】
監視システム１０１における各装置は、コンピュータを備え、当該コンピュータにおけるＣＰＵ等の演算処理部は、以下のシーケンスおよびフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００９６】
図４は、本発明の第１の実施の形態に係る監視システムによるセキュリティ処理のシーケンスの一例を示す図である。
【００９７】
図４を参照して、まず、たとえばユーザ３によって端末装置１２が建物１の外部から建物１の内部に持ち込まれ（ステップＳ１１）、端末装置１２がゲートウェイ装置１０のローカル通信エリアに入ると、ゲートウェイ装置１０は、端末装置１２との通信接続を確立する（ステップＳ１２）。
【００９８】
次に、たとえばユーザ３によって、端末装置１２が建物１の外部に持ち出され（ステップＳ１３）、端末装置１２がゲートウェイ装置１０のローカル通信エリアから外れると、ゲートウェイ装置１０と端末装置１２との通信接続が切断される（ステップＳ１４）。
【００９９】
次に、ゲートウェイ装置１０は、端末装置１２との通信接続が切断されたと判断して、ドア２が施錠されているか否かを施錠管理装置１１に確認させるための施錠確認要求を施錠管理装置１１へ送信する（ステップＳ１５）。
【０１００】
次に、施錠管理装置１１は、ゲートウェイ装置１０から施錠確認要求を受信して、ドア２の施錠の状態を確認する（ステップＳ１６）。施錠管理装置１１は、ドア２が施錠されていなかった場合、ドア２が施錠されていない旨の施錠状態情報をゲートウェイ装置１０へ送信する（ステップＳ１７）。
【０１０１】
一方、施錠管理装置１１は、ドア２が施錠されていた場合、ドア２が施錠されている旨の施錠状態情報をゲートウェイ装置１０へ送信する。
【０１０２】
次に、ゲートウェイ装置１０は、施錠管理装置１１からドア２が施錠さていない旨の施錠状態情報を受信して、建物１の施錠がなされていないと判断し、建物１の施錠がなされていない旨を示す警告情報を外部ネットワーク１３および基地局１４経由で端末装置１２へ送信する（ステップＳ１８およびステップＳ１９）。
【０１０３】
次に、端末装置１２は、ゲートウェイ装置１０から警告情報を受信すると、たとえば、着信音を鳴らすとともに、警告情報の内容を画面に表示する。ここで、端末装置１２は、建物１の対処命令をゲートウェイ装置１０へ送信するための操作を、ユーザ３から受ける（ステップＳ２０）。
【０１０４】
次に、端末装置１２は、対処命令を送信するための操作をユーザ３から受けて、対処命令を基地局１４および外部ネットワーク１３経由でゲートウェイ装置１０へ送信する（ステップＳ２１およびステップＳ２２）。
【０１０５】
次に、ゲートウェイ装置１０は、端末装置１２から対処命令を受信して、ドア２の施錠を施錠管理装置１１に実施させるための施錠指示を施錠管理装置１１へ送信する（ステップＳ２３）。
【０１０６】
次に、施錠管理装置１１は、ゲートウェイ装置１０から施錠指示を受信して、ドア２を施錠し（ステップＳ２４）、ドア２が施錠されたことを示す施錠実施情報をゲートウェイ装置１０へ送信する（ステップＳ２５）。
【０１０７】
次に、ゲートウェイ装置１０は、施錠管理装置１１から施錠実施情報を受信して、建物１の施錠がなされた旨を示す警告解除情報を外部ネットワーク１３および基地局１４経由で端末装置１２へ送信する（ステップＳ２６およびステップＳ２７）。
【０１０８】
図５は、本発明の第１の実施の形態に係るゲートウェイ装置によるセキュリティ処理の手順の一例を定めたフローチャートである。
【０１０９】
図５を参照して、まず、ゲートウェイ装置１０は、端末装置１２との通信接続が確立されている状態において、当該通信接続が切断されるまで待機する（ステップＳ５１でＮＯ）。
【０１１０】
次に、ゲートウェイ装置１０は、端末装置１２との通信接続が切断された場合（ステップＳ５１でＹＥＳ）、詳細には、端末装置１２との通信接続が切断されたと判断した場合、建物１が施錠されているか否かを確認する（ステップＳ５２）。
【０１１１】
具体的には、ゲートウェイ装置１０は、施錠確認要求を施錠管理装置１１へ送信し、施錠管理装置１１から施錠状態情報を受信する。ゲートウェイ装置１０は、たとえば、施錠管理装置１１からドア２が施錠されている旨の施錠状態情報を受信した場合、建物１が施錠されていると判断し（ステップＳ５２でＹＥＳ）、セキュリティ処理を終了する。
【０１１２】
一方、ゲートウェイ装置１０は、施錠管理装置１１からドア２が施錠されていない旨の施錠状態情報を受信した場合、建物１が施錠されていないと判断し（ステップＳ５２でＮＯ）、自己の記憶部２０に保存された、警告情報の送信回数の設定値である設定回数Ｐおよび送信間隔の設定値である設定間隔Ｑを確認する（ステップＳ５３）。
【０１１３】
次に、ゲートウェイ装置１０は、警告情報を送信した回数と、設定回数Ｐとを比較し、警告情報を送信した回数が設定回数Ｐ未満である場合（ステップＳ５４でＹＥＳ）、警告情報を外部ネットワーク１３および基地局１４経由で端末装置１２へ送信する（ステップＳ５５）。
【０１１４】
ここでは、ゲートウェイ装置１０は、端末装置１２との無線接続が切断されてから初めて警告情報を送信するため、警告情報を送信した回数はゼロである。したがって、設定回数Ｐが１以上であれば、警告情報を端末装置１２へ送信する。
【０１１５】
たとえば、ユーザ３は、ゲートウェイ装置１０に警告情報を送信させたくない場合、設定回数Ｐを予めゼロに設定しておく。
【０１１６】
次に、ゲートウェイ装置１０は、警告情報を送信してからの経過時間が設定間隔Ｑ以上となるまで、つまり警告情報を送信してから設定間隔Ｑの示す時間が経過するまで、または、端末装置１２から対処命令を受信するまで待機する（ステップＳ５６でＮＯかつステップＳ５７でＮＯ）。
【０１１７】
次に、ゲートウェイ装置１０は、端末装置１２から対処命令を受信しないまま（ステップＳ５６でＮＯ）設定間隔Ｑの示す時間が経過した場合（ステップＳ５７でＹＥＳ）、建物１が施錠されているか否かを再び確認する（ステップＳ５８）。
【０１１８】
具体的には、たとえば、ゲートウェイ装置１０は、警告情報の送信後に、ドア２が施錠されたことを示す施錠実施情報を施錠管理装置１１から受信したか否かを確認し、受信している場合、建物１が施錠されたと判断する。一方、ゲートウェイ装置１０は、施錠実施情報を受信していない場合、建物１が施錠されていないと判断する。
【０１１９】
ゲートウェイ装置１０は、建物１が施錠されていると判断した場合（ステップＳ５８でＹＥＳ）、建物１の施錠がなされた旨を示す警告解除情報を外部ネットワーク１３および基地局１４経由で端末装置１２へ送信し（ステップＳ６２）、セキュリティ処理を終了する。
【０１２０】
一方、ゲートウェイ装置１０は、建物１の施錠が引き続きなされていないと判断した場合（ステップＳ５８でＮＯ）、警告情報を送信した回数と設定回数Ｐとを再び比較する（ステップＳ５４）。
【０１２１】
ゲートウェイ装置１０は、警告情報を送信した回数が設定回数Ｐ未満である場合（ステップＳ５４でＹＥＳ）、警告情報を外部ネットワーク１３および基地局１４経由で端末装置１２へ新たに送信する（ステップＳ５５）。
【０１２２】
次に、ゲートウェイ装置１０は、端末装置１２から対処命令を受信するまで、または、直近の警告情報の送信から設定間隔Ｑの示す時間が経過するまで待機する（ステップＳ５６でＮＯかつステップＳ５７でＮＯ）。
【０１２３】
ゲートウェイ装置１０は、設定間隔Ｑの示す時間が経過する前に（ステップ５７でＮＯ）端末装置１２から対処命令を受信した場合（ステップＳ５６でＹＥＳ）、ドア２の施錠を実施する（ステップＳ６１）。
【０１２４】
具体的には、ゲートウェイ装置１０は、施錠管理装置１１へ施錠指示を送信することにより、施錠管理装置１１にドア２の施錠を実施させる。
【０１２５】
次に、ゲートウェイ装置１０は、たとえば、施錠管理装置１１からドア２が施錠されたことを示す施錠実施情報を受信すると、警告解除情報を外部ネットワーク１３および基地局１４経由で端末装置１２へ送信し（ステップＳ６２）、セキュリティ処理を終了する。
【０１２６】
また、ゲートウェイ装置１０は、たとえば、警告情報を送信した回数が設定回数Ｐに達した場合（ステップＳ５４でＮＯ）、警告情報を送信せず、対処命令を受信するか、または建物１の施錠がなされるまで待機する（ステップＳ５９でＮＯかつステップ６０でＮＯ）。
【０１２７】
そして、ゲートウェイ装置１０は、端末装置１２からの対処命令を受信していない状態において（ステップＳ５９でＮＯ）、施錠管理装置１１から施錠実施情報を受信したことにより、建物１が施錠されていると判断した場合（ステップＳ６０でＹＥＳ）、警告解除情報を外部ネットワーク１３および基地局１４経由で端末装置１２へ送信し（ステップＳ６２）、セキュリティ処理を終了する。
【０１２８】
また、ゲートウェイ装置１０は、建物１の施錠がなされていないと判断している状態において（ステップＳ６０でＮＯ）、端末装置１２から対処命令を受信した場合（ステップＳ５９でＹＥＳ）、施錠管理装置１１へ施錠指示を送信することにより、ドア２の施錠を実施する（ステップＳ６１）。
【０１２９】
次に、ゲートウェイ装置１０は、たとえば、施錠管理装置１１からドア２が施錠されたことを示す施錠実施情報を受信すると、警告解除情報を外部ネットワーク１３および基地局１４経由で端末装置１２へ送信し（ステップＳ６２）、セキュリティ処理を終了する。
【０１３０】
なお、本発明の第１の実施の形態に係る監視システム１０１では、ゲートウェイ装置１０における通知部２３は、警告情報を端末装置１２へ送信する構成であるとしたが、これに限定するものではなく、警告情報を他の装置へ送信する構成であってもよい。たとえば、通知部２３は、ユーザ３が携帯する他の端末装置へ警告情報を送信してもよいし、他のユーザが携帯または所有する端末装置へ送信してもよい。
【０１３１】
また、監視システム１０１は、複数の端末装置１２を備える構成であってもよい。この場合、たとえば、複数のユーザ３が端末装置１２を携帯する。ゲートウェイ装置１０は、自己のローカル通信エリア内に複数の端末装置１２が位置する場合、ローカル通信エリア内に位置する全部の端末装置１２と通信接続を確立する。
【０１３２】
ゲートウェイ装置１０は、たとえば、どの端末装置１２とも通信接続をしていない状態となった場合、最後に通信接続が切断された端末装置１２へ警告情報を送信する。
【０１３３】
具体的には、ゲートウェイ装置１０における監視部２２は、無線通信部２１がどの端末装置１２とも通信接続をしていない状態となったと判断した場合、施錠管理装置１１へ施錠確認要求を送信することにより、建物１の施錠の状態を確認する。
【０１３４】
監視部２２は、建物１が施錠されていないと判断した場合、たとえば、警告情報の送信を指示するための警告送信指示、および最後に通信接続が切断された端末装置１２のＭＡＣアドレスを示す情報を通知部２３に出力する。
【０１３５】
通知部２３は、たとえば、警告送信指示および端末装置１２のＭＡＣアドレスを監視部２２から受けて、当該ＭＡＣアドレスに対応する端末装置１２へ警告情報を送信する。
【０１３６】
また、監視システム１０１は、複数の施錠管理装置１１を備える構成であってもよい。この場合、施錠管理装置１１は、たとえば、建物１におけるドアおよび窓ごとに設けられる。ゲートウェイ装置１０は、たとえば、端末装置１２との通信接続が切断された場合、各施錠管理装置１１を用いて各ドアおよび各窓の施錠の状態を確認する。そして、たとえば、各ドアおよび各窓のうち、少なくともいずれか１つが無施錠である場合、建物１が無施錠であると判断し、端末装置１２へ警告情報を送信する。
【０１３７】
具体的には、たとえば、ゲートウェイ装置１０における監視部２２は、無線通信部２１と端末装置１２との通信接続が切断されたと判断した場合、各施錠管理装置１１へ施錠確認要求を送信する。監視部２２は、各施錠管理装置１１から施錠状態情報を受信し、受信した各施錠状態情報に基づいて、建物１の施錠の状態を判断する。
【０１３８】
たとえば、監視部２２は、各ドアおよび各窓のうち、少なくともいずれか１つが無施錠であることを確認した場合、建物１の施錠がなされていないと判断する。
【０１３９】
また、ゲートウェイ装置１０における監視部２２は、施錠管理装置１１へ施錠確認要求を送信し、施錠管理装置１１から受信した施錠状態情報に基づいて、建物１の施錠の状態を判断する構成であるとしたが、これに限定するものではない。
【０１４０】
たとえば、ゲートウェイ装置１０がドア２の施錠の状態を確認するためのセンサを含み、監視部２２が当該センサの出力信号に基づいて、建物１の施錠の状態を判断する構成であってもよい。
【０１４１】
また、ゲートウェイ装置１０における制御部２４は、施錠管理装置１１へ施錠指示を送信することにより、施錠管理装置１１にドア２を施錠させる構成であるとしたが、これに限定するものではない。
【０１４２】
たとえば、ゲートウェイ装置１０がドア２を施錠するためのモータ等を含み、制御部２４が当該モータ等を制御して、ドア２を施錠する構成であってもよい。
【０１４３】
また、ゲートウェイ装置１０における制御部２４は、端末装置１２からの対処命令を受信して、施錠管理装置１１にドア２の施錠を実施させる構成であるとしたが、これに限定するものではない。
【０１４４】
たとえば、制御部２４は、端末装置１２以外の他の装置から送信された対処命令を受信して、施錠管理装置１１にドア２の施錠を実施させる構成であってもよい。たとえば、制御部２４は、ユーザ３がパソコンから送信した対処命令を受信して、施錠管理装置１１にドア２の施錠を実施させてもよい。
【０１４５】
また、制御部２４は、基地局１４および外部ネットワーク１３経由で対処命令を受信する構成であるとしたが、このような構成に限らず、他の経路で対処命令を受信する構成であってもよい。たとえば、制御部２４は、対処命令を示すトーン信号を一般電話回線経由で受信して、施錠管理装置１１にドア２の施錠を実施させてもよい。
【０１４６】
ところで、特許文献１に記載のセキュリティシステムは、たとえば、対象とする住宅のドアが閉まったにも関わらず、所定時間、当該ドアの施錠がなされない場合に、ユーザの端末装置に無施錠である旨が通知される構成である。このため、たとえば、ドアの施錠がなされていない状態でユーザが在宅しており、無施錠である旨の通知をユーザが必要としない場合であっても、頻繁に無施錠である旨が通知される可能性がある。
【０１４７】
また、特許文献２に記載のセキュリティシステムは、たとえばユーザが窓の施錠を忘れて外出した場合であっても、ユーザの携帯端末から問い合わせがなければ施錠状況を通知しないため、高いセキュリティを確保することが困難である。
【０１４８】
これに対して、本発明の第１の実施の形態に係るゲートウェイ装置では、無線通信部２１は、外部ネットワーク１３を介さずに、端末装置１２と通信接続を確立して無線通信を行う。監視部２２は、当該通信接続の状態および建物１の状態を監視する。通知部２３は、監視部２２によって、当該通信接続が切断されたと判断され、かつ建物１の状態が所定条件を満たすと判断された場合、警告情報を外部ネットワーク１３経由で送信する。
【０１４９】
また、本発明の第１の実施の形態に係る監視システムでは、ゲートウェイ装置１０は、建物１内に設置され、建物１の外部における外部ネットワーク１３を介して他の装置と通信可能である。また、ゲートウェイ装置１０は、外部ネットワーク１３を介さずに、端末装置１２と通信接続を確立して無線通信を行う。ゲートウェイ装置１０は、当該通信接続の状態および建物１の状態を監視する。そして、ゲートウェイ装置１０は、当該通信接続が切断されたと判断し、かつ建物１の状態が所定条件を満たすと判断した場合、警告情報を外部ネットワーク１３経由で端末装置１２へ送信する。
【０１５０】
このように、端末装置１２とゲートウェイ装置１０との通信接続の状態を、建物１の状態と合わせて監視する構成により、たとえば、当該通信接続が切断された場合であって、かつ、建物１の施錠がなされていない場合、当該端末装置１２を携帯するユーザ３が建物１の施錠を行うことなく外出したと判断することができる。そして、このような場合に警告情報を送信することにより、建物１の状態が何らかの改善を行うべき状態であることを知らせることができる。また、警告情報は、端末装置１２とゲートウェイ装置１０との通信接続が切断された状態において送信されるため、ユーザ３が建物１内にいる場合に送信されることが少なく、また、ユーザ３からの問い合わせが無くとも、所定条件を満たす場合に自動的に送信される。
【０１５１】
したがって、本発明の第１の実施の形態に係るゲートウェイ装置および監視システムでは、建物の状態を適切に通知し、ユーザの外出時における建物の管理を支援することができる。
【０１５２】
また、本発明の第１の実施の形態に係るゲートウェイ装置では、通知部２３は、警告情報を外部ネットワーク１３経由で端末装置１２へ送信する。
【０１５３】
このような構成により、たとえば、端末装置１２を携帯するユーザ３が建物１の施錠を行うことなく外出した場合に、ユーザ３の端末装置１２へ警告情報を直接送信することができる。これにより、たとえば、ユーザ３が建物１から大きく離れる前に、建物１が無施錠である旨をユーザ３に知らせることができるため、ユーザ３は建物１へ戻って建物１の施錠を行うことができる。
【０１５４】
また、本発明の第１の実施の形態に係るゲートウェイ装置では、通知部２３は、警告情報を送信した後、建物１の状態が上記所定条件を満たしていないと監視部２２によって判断された場合、警告解除情報を外部ネットワーク１３経由で送信する。
【０１５５】
このような構成により、たとえば、無施錠であった建物１が施錠された場合に、建物１が施錠されたことを知らせることができる。
【０１５６】
また、本発明の第１の実施の形態に係るゲートウェイ装置では、制御部２４は、遠隔で対処命令を受けて、建物１の状態を上記所定条件を満たさない状態へ変更する制御を行う。通知部２３は、警告情報を送信した後に、制御部２４によって建物１の状態が上記所定条件を満たさない状態へ変更された場合、警告解除情報を外部ネットワーク１３経由で送信する。
【０１５７】
このような構成により、たとえば、建物１の施錠を行うことなく外出したことで、警告情報を受信した場合に、遠隔で建物１を施錠することができ、また、施錠が実施されたことを遠隔で確認することができる。
【０１５８】
また、本発明の第１の実施の形態に係るゲートウェイ装置では、通知部２３は、警告情報を繰り返し送信し、送信回数が所定値に達した場合、警告情報の送信を停止する。
【０１５９】
このように、たとえば、無施錠である旨を繰り返し通知する構成により、建物１が無施錠であることを、たとえばユーザ３に、より確実に気付かせることができ、また、無施錠である旨の通知回数を制限する構成により、同じ内容の通知が繰り返し行われる煩わしさを抑えることができる。
【０１６０】
ここで、ゲートウェイ装置１０は、たとえば、端末装置１２との通信接続が切断され、かつ建物１の施錠がなされていない場合に警告情報を端末装置１２へ送信する。このため、ゲートウェイ装置１０は、端末装置１２が建物１内に位置している場合であっても、端末装置１２の電源がオフされた場合に警告情報を送信することがある。
【０１６１】
これに対して、無施錠である旨の通知を通知回数が所定値に達した場合に停止することで、電源が再びオンされた端末装置１２が不必要な多くの警告情報を受信してしまうことを防ぐことができる。
【０１６２】
また、本発明の第１の実施の形態に係るゲートウェイ装置では、監視部２２は、警告情報を送信した後、建物１の状態を確認する。通知部２３は、建物１の状態が引き続き上記所定条件を満たしていると監視部２２によって判断された場合に、警告情報を新たに送信する。
【０１６３】
このような構成により、たとえば、警告情報を繰り返し送信する一方で、建物１の施錠がなされた後は警告情報を送信しないようにすることができるため、建物１の状態をより適切に通知することができる。
【０１６４】
また、本発明の第１の実施の形態に係るゲートウェイ装置では、通知部２３は、警告情報を所定間隔で複数回送信する。
【０１６５】
このような構成により、警告情報をある程度の間隔を空けて送信することがきるため、短時間に複数回送信する場合に比べて、たとえば、建物１が無施錠であることを、より確実にユーザ３に気付かせることができ、また、単位時間当たりの送信回数を少なくすることができる。
【０１６６】
次に、本発明の他の実施の形態について図面を用いて説明する。なお、図中同一または相当部分には同一符号を付してその説明は繰り返さない。
【０１６７】
＜第２の実施の形態＞
本実施の形態は、第１の実施の形態に係る監視システムと比べて、ゲートウェイ装置の監視対象が異なる監視システムに関する。以下で説明する内容以外は第１の実施の形態に係る監視システムと同様である。
【０１６８】
［構成および基本動作］
図６は、本発明の第２の実施の形態に係る監視システムの構成を示す図である。
【０１６９】
図６を参照して、監視システム１０２は、ゲートウェイ装置１０と、設備管理装置５１と、端末装置１２とを備える。
【０１７０】
ゲートウェイ装置１０および設備管理装置５１は、たとえば住宅である建物１に設置される。
【０１７１】
端末装置１２は、スマートフォンまたはタブレット等の携帯端末であり、たとえば建物１の居住者であるユーザ３により携帯される。端末装置１２は、たとえば、建物１内において、ゲートウェイ装置１０および建物１の外部におけるネットワークである外部ネットワーク１３を介して、図示しない他の装置と通信を行うことができる。
【０１７２】
具体的には、ゲートウェイ装置１０は、たとえばブロードバンドルーターの機能を有し、有線で外部ネットワーク１３に接続され、外部ネットワーク１３を介して他の装置と通信を行う。
【０１７３】
また、ゲートウェイ装置１０は、Ｗｉ−Ｆｉ等の無線ＬＡＮ、またはＢｌｕｅｔｏｏｔｈ等により端末装置１２と無線通信を行う。ゲートウェイ装置１０は、端末装置１２以外の他の端末装置とも無線通信を行うことができる。
【０１７４】
ゲートウェイ装置１０は、端末装置１２と通信接続を確立した後、当該通信接続が切断された場合、端末装置１２が建物１の外部に持ち出された、つまり端末装置１２を携帯するユーザ３が建物１から外出したと判断する。
【０１７５】
ゲートウェイ装置１０は、たとえば、外部ネットワーク１３および携帯電話の基地局である基地局１４を介して、端末装置１２へメール等のメッセージを送信することができる。
【０１７６】
設備管理装置５１は、建物１に設けられた設備５２たとえばガスコンロ、ストーブまたは水道等に付設され、ＺｉｇＢｅｅまたはＢｌｕｅｔｏｏｔｈ等により、ゲートウェイ装置１０と無線通信を行う。
【０１７７】
具体的には、たとえば、設備管理装置５１は、設備５２が使用されているか否か等、設備５２の使用状態を確認し、確認結果をゲートウェイ装置１０に報告する。
【０１７８】
たとえば、設備管理装置５１は、設備５２がガスコンロである場合、当該ガスコンロがガスを消費しているとき、設備５２が使用されていると判断する。また、設備管理装置５１は、設備５２が水道である場合、蛇口から水が放出されているとき、設備５２が使用されていると判断する。
【０１７９】
設備管理装置５１は、設備５２が使用されている場合において、ゲートウェイ装置１０から機能停止指示を受信すると、設備５２の機能を停止させる。具体的には、たとえば、設備管理装置５１は、設備５２がガスコンロである場合、機能停止指示を受信すると、当該ガスコンロのガスの消費を停止させる。また、設備管理装置５１は、設備５２が水道である場合、機能停止指示を受信すると、蛇口の水の放出を停止させる。
【０１８０】
ゲートウェイ装置１０は、端末装置１２との通信接続が切断された場合、ユーザ３が建物１から外出したと判断して、設備管理装置５１と通信を行い、設備管理装置５１に設備５２の使用状態を確認させる。ゲートウェイ装置１０は、設備管理装置５１による設備５２の使用状態の確認結果に基づいて、設備５２の使用状態を判断する。
【０１８１】
そして、ゲートウェイ装置１０は、設備５２が使用されていると判断した場合、建物１が改善すべき状態にあることを示す警告情報を外部ネットワーク１３および基地局１４経由で端末装置１２へ送信する。ここでは、警告情報は、たとえば設備５２が使用されている旨を示す。
【０１８２】
端末装置１２は、ゲートウェイ装置１０から警告情報を受信すると、たとえば、着信音を鳴らすとともに、警告情報の内容を画面に表示する。
【０１８３】
これにより、ユーザ３は、設備５２が使用されていることを警告情報によって認識し、たとえば、建物１へ戻り、手動で設備５２の機能を停止させることができる。
【０１８４】
また、ユーザ３は、端末装置１２を用いて遠隔で設備５２の機能を停止させることもできる。具体的には、ユーザ３は、端末装置１２を操作することにより、端末装置１２から、基地局１４および外部ネットワーク１３経由でゲートウェイ装置１０へ対処命令を送信する。
【０１８５】
ゲートウェイ装置１０は、端末装置１２からの対処命令を受信すると、機能停止指示を設備管理装置５１へ送信することにより、設備管理装置５１に、設備５２の機能を停止させる。
【０１８６】
設備管理装置５１は、ゲートウェイ装置１０から機能停止指示を受信して設備５２の機能を停止させた場合、または手動で設備５２の機能が停止された場合、設備５２の機能が停止したことを示す停止実施情報をゲートウェイ装置１０へ送信する。
【０１８７】
ゲートウェイ装置１０は、設備管理装置５１から停止実施情報を受信すると、建物１の状態が改善されたことを示す警告解除情報を外部ネットワーク１３および基地局１４経由で端末装置１２へ送信する。ここでは、警告解除情報は、設備５２の機能が停止した旨を示す。
【０１８８】
たとえば、ゲートウェイ装置１０は、上述の、設備５２の使用状態の確認、端末装置１２への警告情報の送信、設備管理装置５１への機能停止指示の送信、および端末装置１２への警告解除情報の送信等を、セキュリティ用のアプリケーションを用いて行う。ゲートウェイ装置１０は、たとえば、端末装置１２との通信接続が切断されたことをトリガーとして当該アプリケーションを起動させる。
【０１８９】
図７は、本発明の第２の実施の形態に係るゲートウェイ装置の構成を示す図である。
【０１９０】
図７を参照して、ゲートウェイ装置１０は、操作部１９と、記憶部２０と、無線通信部２１と、監視部２２と、通知部２３と、制御部２４と、ＭＡＣ確認部２５とを備える。
【０１９１】
操作部１９は、監視システム１０２の対象となる端末装置すなわち端末装置１２のＭＡＣアドレスをユーザ３の操作により予め取得して記憶部２０に保存する。
【０１９２】
無線通信部２１は、ゲートウェイ装置１０のローカル通信エリア内に端末装置１２が位置する場合、外部ネットワーク１３を介さずに、端末装置１２と通信接続を確立して無線通信を行う。
【０１９３】
監視部２２は、無線通信部２１と端末装置１２との通信接続の状態、および建物１の状態を監視する。具体的には、監視部２２は、無線通信部２１と端末装置１２との通信接続の状態、および建物１における設備５２の使用状態を監視する。
【０１９４】
たとえば、監視部２２は、無線通信部２１が端末装置との通信接続を確立するたびに、通信接続の確立された端末装置のＭＡＣアドレスを確認する。そして、監視部２２は、通信接続の確立された端末装置のＭＡＣアドレスを記憶部２０に保存されたＭＡＣアドレスと照合することにより、無線通信部２１と端末装置１２との通信接続が確立したか否かを判断する。
【０１９５】
また、監視部２２は、無線通信部２１と端末装置１２との通信接続が切断されたか否かを判断する。監視部２２は、たとえば、無線通信部２１と端末装置との通信接続が切断されるたびに、通信接続が切断された端末装置のＭＡＣアドレスを確認する。そして、監視部２２は、通信接続が切断された端末装置のＭＡＣアドレスを記憶部２０に保存されたＭＡＣアドレスと照合することにより、通信接続が切断された端末装置が端末装置１２であるか否かを判断する。
【０１９６】
監視部２２は、無線通信部２１と端末装置１２との通信接続が切断されたと判断した場合、建物１の状態が所定条件を満たすか否か、具体的には、建物１における設備５２が使用されているか否か判断する。
【０１９７】
監視部２２は、設備５２が使用されているか否かを設備管理装置５１に確認させるための使用確認要求を設備管理装置５１へ送信する。
【０１９８】
設備管理装置５１は、監視部２２から使用確認要求を受信すると、たとえば、設備５２が使用されているか否かを自己のセンサを用いて確認し、確認結果を示す使用状態情報をゲートウェイ装置１０における監視部２２へ送信する。
【０１９９】
監視部２２は、設備管理装置５１から使用状態情報を受信して、受信した使用状態情報に基づいて、設備５２が使用されているか否かを判断する。
【０２００】
たとえば、監視部２２は、設備５２が使用されている旨の使用状態情報を設備管理装置５１から受信した場合、設備５２が使用されている、つまり建物１の状態が所定条件を満たすと判断し、警告情報の送信を指示するための警告送信指示を通知部２３へ出力する。
【０２０１】
通知部２３は、監視部２２によって、通知部２３と端末装置１２との通信接続が切断されたと判断され、かつ、建物１の状態が所定条件を満たすと判断された場合、外部ネットワーク１３および基地局１４を介して端末装置１２に警告情報を送信する。
【０２０２】
具体的には、たとえば、通知部２３は、監視部２２から警告送信指示を受けると、警告情報を外部ネットワーク１３および基地局１４経由で端末装置１２へ送信する。
【０２０３】
通知部２３は、端末装置１２へ警告情報を繰り返し送信する。たとえば、通知部２３は、所定の間隔で複数回、端末装置１２へ警告情報を送信する。
【０２０４】
たとえば、操作部１９は、警告情報の送信回数の設定値である設定回数Ｐ、および警告情報の送信間隔の設定値である設定間隔Ｑをユーザ３の操作により予め取得し、記憶部２０に保存する。
【０２０５】
設定回数Ｐは、警告情報を送信すべき回数を示す。設定回数Ｐは、たとえば、５に設定される。設定間隔Ｑは、たとえば、警告情報を送信してから次の警告情報を送信するまでの時間を示す。設定間隔Ｑは、たとえば、１５分に設定される。
【０２０６】
通知部２３は、たとえば、設定間隔Ｑの示す時間ごとに警告情報を送信し、警告情報の送信回数が設定回数Ｐに達した場合、警告情報の送信を停止する。
【０２０７】
監視部２２は、たとえば、通知部２３が警告情報を送信した後、次の警告情報を送信する前に、建物１の状態、具体的には、建物１における設備５２の使用状態を確認する。
【０２０８】
たとえば、設備管理装置５１は、上述のように、設備５２の機能が停止した場合、設備５２の機能が停止したことを示す停止実施情報をゲートウェイ装置１０における監視部２２へ送信する。
【０２０９】
監視部２２は、通知部２３が警告情報を送信した後、停止実施情報を受信した場合、設備５２の機能が停止したと判断する。一方、監視部２２は、停止実施情報を受信していない場合、設備５２が引き続き使用されていると判断する。
【０２１０】
通知部２３は、建物１の状態が引き続き所定条件を満たしていると監視部２２によって判断された場合、つまり設備５２が引き続き使用されていると監視部２２によって判断された場合、端末装置１２へ新たに警告情報を送信する。
【０２１１】
一方、通知部２３は、設備５２の機能が停止したと監視部２２によって判断された場合、端末装置１２への新たな警告情報の送信を行わない。
【０２１２】
制御部２４は、たとえば、遠隔で対処命令を受けて、所定条件を満たさない状態へ建物１を遷移させる制御を行う。具体的には、たとえば、制御部２４は、遠隔で対処命令を受けて設備５２の機能を停止させる制御を行う。
【０２１３】
より具体的には、たとえば、制御部２４は、対処命令を端末装置１２から基地局１４および外部ネットワーク１３経由で受信すると、設備５２の機能を停止させるための機能停止指示を設備管理装置５１へ送信する。
【０２１４】
通知部２３は、たとえば、端末装置１２へ警告情報を送信した後、建物１の状態が所定条件を満たしていないと監視部２２によって判断された場合、つまり設備５２の機能が停止していると監視部２２によって判断された場合、設備５２の能が停止した旨を示す警告解除情報を外部ネットワーク１３および基地局１４経由で端末装置１２へ送信する。
【０２１５】
たとえば、通知部２３は、端末装置１２へ警告情報を送信した後に、制御部２４によって所定条件を満たさない状態へ建物１が遷移した場合、つまり制御部２４が設備５２の機能を停止させた場合、警告解除情報を外部ネットワーク１３および基地局１４経由で端末装置１２へ送信する。
【０２１６】
具体的には、たとえば、設備管理装置５１は、制御部２４から機能停止指示を受けると、設備５２の機能を停止させ、設備５２の機能が停止したことを示す停止実施情報をゲートウェイ装置１０における監視部２２へ送信する。
【０２１７】
監視部２２は、停止実施情報を設備管理装置５１から受信すると、設備５２の機能が停止したと判断する。通知部２３は、監視部２２によって設備５２の機能が停止したと判断された場合、端末装置１２へ警告解除情報を送信する。
【０２１８】
その他の構成および動作は第１の実施の形態に係る監視システムと同様であるため、ここでは詳細な説明を繰り返さない。
【０２１９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２０】
以上の説明は、以下に付記する特徴を含む。
【０２２１】
［付記１］
建物内に設置され、前記建物外における外部ネットワークを介して他の装置と通信可能なゲートウェイ装置であって、
前記外部ネットワークを介さずに、端末装置と通信接続を確立して無線通信を行う無線通信部と、
前記通信接続の状態および前記建物の状態を監視する監視部と、
前記監視部によって、前記通信接続が切断されたと判断され、かつ前記建物の状態が所定条件を満たすと判断された場合、警告情報を前記外部ネットワーク経由で送信する通知部とを備え、
前記端末装置は、携帯可能であり、
前記無線通信は、無線ＬＡＮまたはＢｌｕｅｔｏｏｔｈ（登録商標）によって行われ、
前記外部ネットワークは、インターネットを含み、
前記所定条件は、前記建物の施錠がなされていないことであり、
前記警告情報は、無施錠である旨を示す、ゲートウェイ装置。
【０２２２】
［付記２］
端末装置と、
建物内に設置され、前記建物外における外部ネットワークを介して他の装置と通信可能なゲートウェイ装置とを備え、
前記ゲートウェイ装置は、前記外部ネットワークを介さずに、前記端末装置と通信接続を確立して無線通信を行い、
前記ゲートウェイ装置は、前記通信接続の状態および前記建物の状態を監視し、
前記ゲートウェイ装置は、前記通信接続が切断されたと判断し、かつ前記建物の状態が所定条件を満たすと判断した場合、警告情報を前記外部ネットワーク経由で前記端末装置へ送信し、
前記端末装置は、携帯可能であり、
前記無線通信は、無線ＬＡＮまたはＢｌｕｅｔｏｏｔｈ（登録商標）によって行われ、
前記外部ネットワークは、インターネットを含み、
前記所定条件は、前記建物の施錠がなされていないことであり、
前記警告情報は、無施錠である旨を示す、監視システム。
【符号の説明】
【０２２３】
１  建物
２  ドア
３  ユーザ
１０  ゲートウェイ装置
１１  施錠管理装置
１２  端末装置
１３  外部ネットワーク
１４  基地局
１９  操作部
２０  記憶部
２１  無線通信部
２２  監視部
２３  通知部
２４  制御部
２５  ＭＡＣ確認部
３１  施錠センサ部
３２  施錠実施部
３３  施錠判断部
５１  設備管理装置
５２  設備
５７  ステップ
６０  ステップ
１０１  監視システム
１０２  監視システム
【図１】
2016099805.tif 000003
【図２】
2016099805.tif 000004
【図３】
2016099805.tif 000005
【図４】
2016099805.tif 000006
【図５】
2016099805.tif 000007
【図６】
2016099805.tif 000008
【図７】
2016099805.tif 000009